(57)【要約】【課題】遊技媒体収容箱を係止体を介して遊技媒体貯留部の前壁に係止して支持させたときに本体の開口の前側から遊技媒体が零れ落ちにくい遊技媒体収容箱を提供すること。【解決手段】上方に開口する箱状に形成される本体２１０と、後板部２０２の上辺に形成される下向きフック状の係止体２５０，２５１と、を備え、スロットマシン１における下皿５の前壁５ａの上端に係止体２５０，２５１を係止したときに後板部２０２の後面２０２Ｂの当接部Ｔが前壁５ａに当接することで開口２２０が上向きに支持されるメダル収容箱２００であって、係止体２５０，２５１は、開口２２０に対し後方に向けて上側に傾斜する傾斜部２３１ａ，２３１ｂと、該傾斜部２３１ａ，２３１ｂの先端から下向きに延びる折返し部２３２ａ，２３２ｂと、を含み、本体２１０は、開口２２０の後辺２２０ａよりも後側に膨出する膨出部２１０Ａを有する。【選択図】図１０
2014180314.tif 000002
【特許請求の範囲】
【請求項１】
底壁と該底壁の周縁に立設される周壁とにより上方に開口する箱状に形成される本体と、前記周壁の上辺に形成される下向きフック状の係止体と、を備え、遊技機における遊技媒体貯留部の前壁の上端に前記係止体を係止したときに前記周壁における後面の少なくとも一部が前記前壁に当接することで前記本体の開口が上向きに支持される遊技媒体収容箱であって、
前記係止体は、
前記本体の開口に対し後方に向けて上側に傾斜する傾斜部と、
該傾斜部の先端から下向きに延びる折返し部と、を含み、
前記本体は、該本体の開口の後辺よりも後側に膨出する膨出部を有する
ことを特徴とする遊技媒体収容箱。
【発明の詳細な説明】
【技術分野】
【０００１】
本発明は、上方に開口する箱状に形成される本体と、下向きフック状の係止体と、を備え、遊技機における遊技媒体貯留部の前壁の上端に前記係止体を係止したときに前記周壁における後面の少なくとも一部が前記前壁に当接することで前記本体の開口が上向きに支持される遊技媒体収容箱に関する。
【背景技術】
【０００２】
遊技機として、所定の賭数を設定し、スタート操作が行われたことに基づいて、複数種類の識別情報の可変表示が行われるスロットマシンや、遊技球を発射装置によって遊技領域に発射し、該遊技領域に設けられている入賞口などの始動領域に遊技球が入賞したときに複数種類の識別情報の可変表示が行われるパチンコ遊技機等がある。
【０００３】
この種のスロットマシンやパチンコ遊技機には、遊技の結果に応じて払い出された遊技媒体の一例であるメダルやパチンコ球を貯留する貯留皿等が設けられている。また、遊技場には、メダルやパチンコ球を収容可能な収容箱が予め用意されており、遊技者は、貯留皿が満杯になったときや遊技を終了する際等に貯留皿に貯留されたメダルやパチンコ球を収容箱に移し替えることができるようになっている。
【０００４】
この種の収容箱の一例として、上方に開放する箱本体（本体）の上端縁に下向きに折り返された舌状の係止体が形成され、スロットマシンに設けられたメダル受皿（遊技媒体貯留部）の前壁に係止体を係止して引っ掛けることで、収容箱が安定して支持された状態でメダル受皿から本体へのメダルの移し替え作業を行うことができるようにしたもの等があった（例えば、特許文献１参照）。
【先行技術文献】
【特許文献】
【０００５】
【特許文献１】特開２００２−３４６０４３号公報
【発明の概要】
【発明が解決しようとする課題】
【０００６】
上記特許文献１に記載の遊技媒体収容箱では、メダル受皿の前壁にメダル受皿の前壁に係止体を係止して引っ掛けたときに、係止体を支点として収容箱の後面が前壁に沿うように当接して支持されるため、メダル受皿の前壁がメダルを移し替えしやすいように上端が前側に傾倒している場合、収容箱の前側、つまり、収容箱の開口の前側が下方に傾倒してしまうため、移し替えたメダルが零れやすいという問題があった。
【０００７】
本発明は、このような問題点に着目してなされたもので、遊技媒体収容箱を係止体を介して遊技媒体貯留部の前壁に係止して支持させたときに本体の開口の前側から遊技媒体が零れ落ちにくい遊技媒体収容箱を提供することを目的とする。
【課題を解決するための手段】
【０００８】
前記課題を解決するために、本発明の請求項１に記載の遊技媒体収容箱は、
底壁（例えば、平面視略多角形状をなす底板部２０１）と該底壁の周縁に立設される周壁（例えば、前板部２０４、前左板部２０４ａ、前右板部２０４ｂ、左側板部２０３ａ、右側板部２０３ｂ、後板部２０２）とにより上方に開口する箱状に形成される本体（例えば、本体２１０）と、前記周壁の上辺に形成される下向きフック状の係止体（例えば、係止体２５０，２５１／係止体２５０Ａ）と、を備え、遊技機（例えば、スロットマシン１）における遊技媒体貯留部（例えば、下皿５）の前壁（例えば、前壁５ａ）の上端に前記係止体を係止したときに前記周壁（例えば、後板部２０２）における後面（例えば、後面２０２Ｂ）の少なくとも一部（例えば、当接部Ｔ）が前記前壁に当接することで前記本体の開口（例えば、開口２２０）が上向きに支持される遊技媒体収容箱（例えば、メダル収容箱２００）であって、
前記係止体は、
前記本体の開口に対し後方に向けて上側に傾斜する傾斜部（例えば、傾斜部２３１ａ，２３１ｂ／傾斜部２３１ｃ）と、
該傾斜部の先端から下向きに延びる折返し部（例えば、折返し部２３２ａ，２３２ｂ／折返し部２３２ｃ）と、を含み、
前記本体は、該本体の開口の後辺（例えば、後辺２２０ａ）よりも後側に膨出する膨出部を有する（例えば、図１０に示すように、本体２１０は、後辺２２０ａを通る線分Ｄよりも後側に膨出する膨出部２１０Ａを有する）
ことを特徴としている。
この特徴によれば、本体は開口の後辺よりも後側に膨出する膨出部を有することで、遊技媒体貯留部の前壁が前傾していても、該前壁の上端に係止体を係止したときに周壁の後面が開口の後辺よりも後側で前壁と当接することにより、係止体を中心とした本体の開口前側の下方への傾倒が規制されるとともに、係止体の傾斜部に対し本体の開口の前側が上方に傾倒しているため、前壁の傾倒に応じて本体の開口の前側が下方に傾いて遊技媒体が零れ落ちにくくなる。
【０００９】
本発明の手段１の遊技媒体収容箱は、請求項１に記載の遊技媒体収容箱であって、
前記傾斜部の長さ（例えば、傾斜部２３１ａ，２３１ｂの前後幅寸法Ｌ１）は、前記前壁の上端の厚み幅寸法（例えば、前壁５ａの前後幅寸法Ｌ２）よりも長寸または略同寸に形成されている（例えば、図１０に示すように、前壁５ａの前後幅寸法Ｌ２が約３ｍｍであるのに対して傾斜部２３１ａ，２３１ｂの前後幅寸法Ｌ１が約５ｍｍである／図１５（Ａ）に示すように、前壁５ａの前後幅寸法Ｌ２’が約５ｍｍであるのに対して傾斜部２３１ａ，２３１ｂの前後幅寸法Ｌ１が５ｍｍである）
ことを特徴としている。
この特徴によれば、係止したときに傾斜部が前壁の上端に当接するので、安定性が向上する。
【００１０】
本発明の手段２の遊技媒体収容箱は、請求項１または手段１に記載の遊技媒体収容箱であって、
前記本体（例えば、本体２１０）の開口（例えば、開口２２０）は、前記傾斜部（例えば、傾斜部２３１ａ，２３１ｂ）と前記折返し部（例えば、折返し部２３２ａ，２３２ｂ）との境界位置（例えば、境界部Ｋ）と前記膨出部（例えば、当接部Ｔ）とを結ぶ線分Ａに直交する前後方向を向く線分Ｂに対し、後側よりも前側が上方に位置するように傾倒する（図１０参照）
ことを特徴としている。
この特徴によれば、本体の開口の前側が下方に傾いて遊技媒体が零れ落ちやすくなることが防止される。
【００１１】
本発明の手段３の遊技媒体収容箱は、手段２に記載の遊技媒体収容箱であって、
前記折返し部（例えば、折返し部２３２ａ，２３２ｂ）は、前記境界位置（例えば、境界部Ｋ）から下方に向けて後側に傾斜している（図１０参照）
ことを特徴としている。
この特徴によれば、周壁の後面と折返し部との間口が広がるため、前壁に係止しやすくなる。
【００１２】
本発明の手段４の遊技媒体収容箱は、請求項１、手段１〜３のいずれかに記載の遊技媒体収容箱であって、
前記係止体（例えば、係止体２５０，２５１）は、前記周壁における後壁（例えば、後板部２０２）の左右側に互いに離間した２つの傾斜部（例えば、傾斜部２３１ａ，２３１ｂ）と、該２つの傾斜部からそれぞれ延びる２つの折返し部（例えば、折返し部２３２ａ，２３２ｂ）と、で形成されている（図６参照）
ことを特徴としている。
この特徴によれば、遊技媒体貯留部の遊技媒体を左右の傾斜部及び折返し部の間から本体に移し替えることができるので、係止体が邪魔になることがない。
【００１３】
本発明の手段５の遊技媒体収容箱は、請求項１、手段１〜４のいずれかに記載の遊技媒体収容箱であって、
前記係止体（例えば、係止体２５０，２５１）は、遊技媒体（例えば、メダルＭ）の落下を防止する落下防止壁（例えば、内側壁２５０ｂ，２５１ｂ／変形例の落下防止壁２７０ａ，２７０ｂ）が立設されている（図７、図１７参照）
ことを特徴としている。
この特徴によれば、遊技媒体貯留部の遊技媒体を本体に移し替えるときに遊技媒体が落下することが防止される。
【００１４】
本発明の手段６の遊技媒体収容箱は、請求項１、手段１〜５のいずれかに記載の遊技媒体収容箱であって、
前記係止体（例えば、係止体２５０，２５１）は、前記傾斜部及び前記折返し部の少なくとも一部に、前記前壁の上端に係止可能な係止段部が形成されている（例えば、図１６に示すように、折返し部２３２ａ，２３２ｂには、前壁５ａの上端に係止可能な係止段部２６０ａ，２６０ｂが形成されている）
ことを特徴としている。
この特徴によれば、傾斜部及び折返し部の少なくとも一部に係止段部が形成されることで、厚み幅の違う前壁にも対応して係止することができる。
【００１５】
本発明の手段７の遊技媒体収容箱は、請求項１、手段１〜６のいずれかに記載の遊技媒体収容箱であって、
前記折返し部（例えば、折返し部２３２ａ，２３２ｂ）の下端における前記周壁（例えば、後板部２０２）との対向部には該周壁に向けて突出する突出部（例えば、リブ２３３ａ，２３３ｂ）が形成されている（図１６参照）
ことを特徴としている。
この特徴によれば、遊技媒体貯留部から遊技媒体を取り出すときに折返し部と前壁との間に遊技媒体が進入して挟まってしまうことが防止される。
【図面の簡単な説明】
【００１６】
【図１】本発明の実施例としてのスロットマシン及びメダル貸出機を示す正面図である。
【図２】メダル貸出機の内部機構を示す左側面図である。
【図３】スロットマシン及びメダル貸出機の要部を示す斜視図である。
【図４】メダル貸出機の構成を示すブロック図である。
【図５】メダル収容箱を示す斜視図である。
【図６】メダル収容箱を示す平面図である。
【図７】メダル収容箱を示す正面図である。
【図８】メダル収容箱を示す背面図である。
【図９】（Ａ）はメダル収容箱を示す側面図であり、（Ｂ）は図７のＡ−Ａ断面図である。
【図１０】メダル収容箱を下皿に取り付けた状態を示す縦断面図である。
【図１１】メダル収容箱を下皿に取り付けた状態を示す平面図である。
【図１２】図１１のＢ−Ｂ断面図である。
【図１３】（Ａ）は下皿からメダル収容箱へメダルを移し替えている状態を示す縦断面図、（Ｂ）は平面図である。
【図１４】メダル収容箱のメダルを受入部へ投入している状態を示す平面図である。
【図１５】（Ａ）は下皿の前壁の前後幅寸法が約５ｍｍの場合におけるメダル収容箱の下皿への取り付け状態を示す図であり、（Ｂ）は、下皿の前壁の前後幅寸法が約７ｍｍの場合におけるメダル収容箱の下皿への取り付け状態を示す図である。
【図１６】下皿の前壁の前後幅寸法が約１０ｍｍの場合におけるメダル収容箱の下皿への取り付け状態を示す図である。
【図１７】本発明の変形例としてのメダル収容箱を示す斜視図である。
【発明を実施するための形態】
【００１７】
本発明の実施例を図面に基づいて以下に説明する。
【実施例】
【００１８】
以下、図面を参照しつつ、本発明の実施例を詳細に説明する。図１は、本発明の実施例としてのスロットマシン及びメダル貸出機を示す正面図である。図２は、メダル貸出機の内部機構を示す左側面図である。図３は、スロットマシン及びメダル貸出機の要部を示す斜視図である。図４は、メダル貸出機の構成を示すブロック図である。尚、以下の説明では、図１のスロットマシン１、メダル貸出機１００、メダル収容箱２００を正面から見た場合を基準として、上下、左右、前後方向を示すものとする。
【００１９】
図１に示すように、スロットマシン１は、遊技場内に複数配置される各遊技島（図示略）に複数並設されており、前面が開口する筐体１ａと、この筐体１ａの左側辺に回動自在に枢支された前面扉１ｂと、から構成されている。筐体１ａの内部上方位置には、外周に複数種類の図柄が配列されたリール２Ｌ，２Ｃ，２Ｒが水平方向に並設されており、これらリール２Ｌ，２Ｃ，２Ｒに配列された図柄のうち連続する３つの図柄が透視窓３から見えるように配置されている。
【００２０】
スロットマシン１においてゲーム（遊技）を行う場合には、まず、円盤状の遊技媒体の一例であるメダルＭをメダル投入部４から投入するか、あるいはクレジットを使用して賭数を設定する。クレジットを使用するにはＭＡＸＢＥＴスイッチ６を操作すれば良い。遊技状態に応じて定められた規定数の賭数が設定されると、入賞ラインＬ１〜Ｌ５が有効となり、スタートスイッチ７の操作が有効な状態、すなわち、ゲームが開始可能な状態となる。本実施例では、規定数の賭数として遊技状態に関わらず３枚が定められて規定数の賭数が設定されると入賞ラインＬ１〜Ｌ５が有効となる。尚、遊技状態に対応する規定数のうち最大数を超えてメダルＭが投入された場合には、その分はクレジットに加算される。
【００２１】
入賞ラインとは、各リール２Ｌ，２Ｃ，２Ｒの透視窓３に表示された図柄の組合せが入賞図柄の組合せであるかを判定するために設定されるラインである。ここでは、リール２Ｌ，２Ｃ，２Ｒの下段に並んだ図柄に跨って設定された入賞ラインＬのみが入賞ラインとして定められている。尚、本実施例では入賞ラインを１本としているが、複数の入賞ラインを定めても良い。
【００２２】
ゲームが開始可能な状態でスタートスイッチ７を操作すると、各リール２Ｌ，２Ｃ，２Ｒが回転し、各リール２Ｌ，２Ｃ，２Ｒの図柄が連続的に変動する。この状態でいずれかのストップスイッチ８Ｌ，８Ｃ，８Ｒを操作すると、対応するリール２Ｌ，２Ｃ，２Ｒの回転が停止し、透視窓３に表示結果が導出表示される。
【００２３】
そして全てのリール２Ｌ，２Ｃ，２Ｒが停止されることで１ゲームが終了し、入賞ラインＬ１〜Ｌ５のいずれかに予め定められた図柄の組合せ（役とも呼ぶ）が各リール２Ｌ，２Ｃ，２Ｒの表示結果として停止した場合には入賞が発生し、その入賞に応じて定められた枚数のメダルＭが遊技者に対して付与され、クレジットに加算される。また、クレジットが上限数（例えば、５０）に達した場合には、メダルＭが直接メダル払出口９から前面扉１ｂの下部に前方に突出するように設けられた遊技媒体貯留部としての下皿５に払い出されるようになっている。
【００２４】
この下皿５の前面を構成する前壁５ａには、後述する遊技媒体収容箱（以下、メダル収容箱２００と言う）が着脱可能とされており、遊技者は、メダル収容箱２００を前壁５ａに係止して引っ掛けることで、下皿５に払い出されたメダルＭをメダル収容箱２００内に移し替えることが可能となっている。尚、本実施例における前壁５ａは、約３ｍｍの前後幅寸法（厚み）を有するとともに、上端が下端よりも前側に所定角度（本実施例では約５度）傾倒するように下皿５の底面前辺に沿って立設されている。
【００２５】
また、入賞ラインＬ１〜Ｌ５のいずれかに、遊技状態の移行を伴う図柄の組合せが各リール２Ｌ，２Ｃ，２Ｒの表示結果として停止した場合には、図柄の組合せに応じた遊技状態（例えば、レギュラーボーナスやビッグボーナスボーナス等）に移行するようになっている。
【００２６】
次に、メダル貸出機１００について説明すると、メダル貸出機１００は、スロットマシン１に１対１に対応するように設けられている。尚、本実施例では、１台のスロットマシン１に対応するメダル貸出機１００が、該スロットマシン１の右側に配置されている。また、本実施例では、メダル貸出機１００はスロットマシン１に１対１に対応するように設けられているが、例えば、メダル貸出機１００を２台のスロットマシン１，１の間に２対１に対応するように設け、１台のメダル貸出機１００を左右２台のスロットマシン１，１により共用してもよい。
【００２７】
メダル貸出機１００は、スロットマシン１の所定側（本実施例では、スロットマシン１に向かって右側）の側方位置に対応設置され、紙幣、または会員登録をしていない一般の遊技者に対して発行される遊技用記録媒体であるプリペイド機能を備えるビジターカード（図示略）や、該遊技場に会員登録した会員遊技者に対して発行される遊技用記録媒体である会員カード（図示略）を受付けて、遊技機における遊技に使用される円盤状の遊技媒体であるメダルＭを貸し出すための処理と、遊技者がスロットマシン１での遊技にて獲得したメダルＭを受付けて、該受付けたメダルＭを計数するための処理と、該計数した獲得メダル枚数をビジターカードや会員カードから特定可能とするための処理等を行う。
【００２８】
尚、メダル貸出機１００は、メダル貸出機１００にて使用されるビジターカードや会員カード並びにメダル貸出機１００の管理等を行うカード管理コンピュータ（図示略）や、貯蓄メダル数や持ちメダル数の管理を行うメダル管理コンピュータ（図示略）や、遊技場内に設置された各スロットマシン１の台データ等の遊技情報を管理するホールコンピュータ（図示略）等の各種のコンピュータが接続されており、これら各コンピュータとの間において双方向のデータ通信が可能とされている。
【００２９】
次に、本実施例のメダル貸出機１００について、図１〜図４に基づいて説明する。図１〜図４に示すように、本実施例のメダル貸出機１００は、正面視縦長長方形状をなす前面が開口する筐体１０１と、該筐体１０１の前面下部開口の開閉可能とする開閉板１０２と、から構成され、内部には後述する各種装置が内蔵されている。
【００３０】
図１に示すように、開閉板１０２の前面上部には、紙幣を挿入するための紙幣挿入口１１０が設けられ、その下方位置には、フルカラーＬＥＤにより構成されて複数の色に点灯することでメダル貸出機１００の状態等を報知可能とされた状態報知ランプ１１１や、会員カードやビジターカードを挿入するためのカード挿入口１１２が設けられている。
【００３１】
状態報知ランプ１１１の下方位置には、入金の利用可能状態を報知する入金可ランプ１１３と、挿入中の会員カードやビジターカードを排出する返却ボタン１１４と、カード残高やエラーコード等を表示するカード残高表示部１１５と、メダルＭの払い出しが行われるメダル貸出ボタン１１６と、メダルＭの貸出が可能なことを表示するメダル貸出ランプ１１７と、後述する貸出メダル貯留部１８３（図２参照）の状態を報知するメダル切れランプ１１８と、会員カードの暗証番号等を入力するためのテンキー１２０と、会員カードを受付けた場合において、該会員カードに記録された会員カードＩＤ並びに会員ＩＤにより特定される貯蓄メダル数を用いた再プレイ遊技を実施するための再プレイボタン１２１と、再プレイ遊技を実施する際に入力する暗証番号が表示される暗証番号表示部１１９と、対応するスロットマシン１にて遊技を行っている遊技者の顔画像を撮影できる顔画像撮影カメラ１８８（図４参照）と、が配設されている。
【００３２】
これら各種操作部の下方位置には、貸出メダル貯留部１８３にメダルＭを補給する際に開閉板１０２の一部を開放するためのメダル補給扉１３０が、下辺を回動軸として開閉可能に設けられている。このメダル補給扉１３０は、遊技場の店員等が携帯する所定の鍵（図示略）をメダル補給扉鍵１３１に差し込まない限り開放できないようになっている。
【００３３】
メダル補給扉１３０の下方位置には、遊技者が遊技により獲得したメダルＭを受け入れて計数するための受入部１４０が設けられているとともに、該受入部１４０の下部からは、受入部１４０にて受け入れたメダルＭを下方に誘導して後述する計数装置１９０の導入口１４２に導入するための導入経路を構成する導入経路カバー１４１が下方に向けて延設されている。
【００３４】
また、この導入経路カバー１４１の上下方向の中央位置よりもやや下方には、払出装置１８２から払い出されたメダルＭをスロットマシン１の下皿５に誘導する誘導部材の一例であるノズル１５０が、導入経路カバー１４１の前後方向に挿通されている。
【００３５】
図２及び図３に示すように、メダル貸出機１００内の上部位置には、紙幣挿入口１１０に連設され、該紙幣挿入口１１０に投入された紙幣を取り込んでその真贋や紙幣種別の識別を実施し、その識別結果を制御ユニット１８１に出力する紙幣識別ユニット１８０が設けられており、該紙幣識別ユニット１８０にて各種紙幣（１万円、５千円、２千円、千円の各紙幣）の受付が可能とされている。
【００３６】
紙幣識別ユニット１８０の下方位置には、カード挿入口１１２に対応する位置に内蔵される内部カードリーダライタ１８７、該メダル貸出機１００を構成する各部と接続しやすいように該メダル貸出機１００の動作を制御するとともに回収したビジターカードを貯留するカードストック部（図示略）等が一体に組み付けられた制御ユニット１８１が配設されている。尚、制御ユニット１８１は、メダル補給扉１３０を開放することにより前方に引き出し可能に設けられており、筐体１０１から引き出してメンテナンス等を実施できるようになっている。
【００３７】
内部カードリーダライタ１８７は、カード挿入口１１２から挿入される会員カード並びにビジターカードに記録されている（会員）カードＩＤや、会員ＩＤ（会員カードのみ）、プリペイド残額データ等の記録情報の読み出し並びに書き込みを行うとともに、発行に使用するビジターカード（回収したカードを含む）を貯留するカードストック部（図示略）を有しており、該カードストック部（図示略）に貯留されたカードを発行可能とされている。
【００３８】
制御ユニット１８１の下方位置、つまり、筐体１０１の上下方向略中央位置には、払い出すメダルＭを貯留する貸出メダル貯留部１８３が設けられている。貸出メダル貯留部１８３は、該貸出メダル貯留部１８３に貯留されるメダルＭを払い出す払出装置１８２の上部に設けられた上向きに開口するメダルホッパー１８３ａと、該メダルホッパー１８３ａの上方に形成される空間部と、から構成されており、貸出メダル貯留部１８３に貯留されたメダルＭは、メダルホッパー１８３ａにより払出装置１８２に向けて整列誘導された後、内部に設けられた図示しない回転ディスク（図示略）によって前面に形成されたメダル排出口（図示略）から排出され、ノズル１５０を介して下皿５に払い出されるようになっている。
【００３９】
図１及び図２に示すように、メダルホッパー１８３ａの上方位置には、メダル補給扉１３０が配設されており、メダル補給扉１３０を開放することで貸出メダル貯留部１８３にメダルＭを補給できるようになっている。尚、本実施例では、メダル補給扉１３０を開放して貸出メダル貯留部１８３にメダルＭを補給できるようになっているが、図示しない遊技機設置島に設けられたメダル補給装置（図示略）からメダルＭが自動補給されるようにしてもよい。
【００４０】
また、払出装置１８２の下方位置には、導入されたメダルＭの枚数を計数する計数装置１９０が配設されている。図４に示すように、計数装置１９０は、上面に開口する計数口が形成され、該計数口から受け入れたメダルＭは回転ディスク１９０ｇに投入され、この回転ディスク１９０ｇから１枚ずつ吐出されたメダルＭが整列されて、図示しない計数傾斜部に沿って流れ落ちるようになっている。そして、このメダルＭの流路の途中に、メダルＭの存在を検出するフォトセンサ１９０ｅが設けられるとともに、フォトセンサ１９０ｅによりメダルＭの端部を検知した瞬間に当該メダルＭの画像を撮影するメダル撮影カメラ１９０ｃが設けられている。
【００４１】
そして、計数装置１９０のコントローラ１９０ａは、メダル撮影カメラ１９０ｃにより撮影したメダル画像に基づいて、メダルＭの真贋（正規メダルか不正メダルか）を瞬時に判定し、その判定結果であるメダル判定情報を制御ユニット１８１に送信するとともに、メダルＭの流路を流路切換器１９０ｄにより切り換えて、正規メダルＭは、正規メダルＭとして計数されて排出口１９２（図２参照）に向けて流し、不正メダルＭは、不正メダルと計数されて計数装置１９０にセットされたメダル貯留ボックス１９４に向けて流すようになっている。このように不正メダルは、計数された後に排出口１９２から排出されずに、メダル貯留ボックス１９４内に貯留されるようになっており、非正規メダルが循環して再使用されてしまうことが防止されている。このように、計数装置１９０に導入されたメダルＭは、その真贋が判定され、かつ計数されるようになっている。また、排出口１９２から排出されたメダルＭは、筐体１０１の下面に形成された開口を介して図示しない遊技機設置島内に排出され、該遊技機設置島内に設けられた回収装置（図示略）に回収されるようになっている。
【００４２】
また、不正メダルがメダル貯留ボックス１９４内に所定枚数（例えば、１００枚）貯留された場合に、所定のエラー信号が遊技機設置島の島コントローラやホールコンピュータ等に出力されてエラー報知が行われるようになっており、遊技場の店員等が定期的に確認しなくても、不正メダルを適宜回収することができる。さらに、本実施例では、後述するように、営業終了時にメダル貯留ボックス１９４に所定量の不正メダルＭが貯留されている場合に、その旨を店員に対して通知することができるようになっている。
【００４３】
また、本実施例における不正メダルとは、他店等の外部から持ち込まれたメダル（偽メダル）のみならず、自店において所定の領域で使用するメダルに対し他の領域で使用するメダルなども不正メダルに含まれる。例えば、１枚５円の価値を有する第１メダルを使用して遊技を行うスロットマシンが設置されている第１領域と、１枚２０円の価値を有する第２メダルを使用して遊技を行うスロットマシンが設置されている第２領域と、が設けられている一の遊技場において、例えば、第２領域において第１メダルを持ち込んで使用する場合、貸出レートが低い第１領域にて借り受けた第１メダルを貸出レートが高い第２領域にて使用することで遊技者は不正に利益を得ることが可能となるため、このような場合、第２領域において第１メダルが不正メダルとなる。
【００４４】
また、筐体１０１における制御ユニット１８１の背面には、筐体１０１内に設けられた各種装置に電力を供給するための電源ユニット１９８が、筐体１０１の背面から突出するように設けられている。
【００４５】
図１に示すように、遊技者がスロットマシン１にて遊技を行う場合、紙幣挿入口１１０に紙幣を挿入することで、１０００円分のメダルＭ（例えば、５０枚）が払出装置１８２から排出され、ノズル１５０を介してスロットマシン１の下皿５に払い出されるため、これを使用して遊技を行うことができる。また、高額紙幣（２０００円、５０００円、１００００円）が挿入された場合は、受付け中のビジターカードがなければ、１０００円分のメダルＭが払い出され、残額は新たに発行されるビジターカードに記録され、受付け中のビジターカードまたは会員カードがある場合には、該受付け金額が受付け中のビジターカードまたは会員カードの残額に加算更新される。また、受付け中のビジターカードまたは会員カードに１０００円分以上のカード残額がある場合は、貸出ボタン１１６を押圧することで１０００円分のメダルＭ（例えば、５０枚）が払出装置１８２から払い出され、残額が減算更新される。また、受付け中の会員カードに所定数以上の貯蓄メダルがある場合には、暗証番号による認証がＯＫであることを条件に、再プレイボタン１２１を押圧することで１０００円分のメダルＭ（例えば、５０枚）が払出装置１８２から払い出され、貯蓄メダル数が減算更新される。
【００４６】
また、遊技者が遊技にてメダルＭを獲得した場合、下皿５に払い出された獲得メダルを手で受入部１４０に投入することで、受け入れたメダルＭは導入経路カバー１４１内を落下した後、計数装置１９０の導入部である計数口１９１に導入される。計数装置１９０内に導入されたメダルＭは、該計数装置１９０内に設けられたフォトセンサ１９０ｅにより検出され、該メダル検出センサによりメダルＭが検出されたことに基づいて、回転ディスク１９０ｇが駆動して導入されたメダル枚数が計数され、該計数されたメダル枚数が受付け中の会員カードやビジターカードから特定される持ちメダル数に加算更新されるとともに、計数されたメダルＭは排出口１９２から遊技機設置島（図示略）内に排出される。
【００４７】
尚、本実施例では、計数装置１９０内に設けられたフォトセンサ１９０ｅによりメダルＭが検出されたことに基づいて計数が開始されるようになっていたが、例えば開閉板１０２の前面に遊技者が操作可能な計数ボタン等を設け、該計数ボタンが操作されたことに基づいて計数が開始されるようにしてもよい。
【００４８】
遊技者が遊技を終了する場合、遊技者は返却ボタン１１４を操作して、受付け中（現金の投入によって発行されたビジターカードを含む）の会員カードやビジターカードを返却させる。遊技にて獲得して計数済みのメダル数（持ちメダル数）がある場合には、返却する会員カードまたはビジターカードのカードＩＤと持ちメダル数とを含む持ちメダル数更新要求がメダル管理コンピュータに送信されて、該会員カードまたはビジターカードのカードＩＤに対応する持ちメダル数に、メダル数更新要求に含まれる持ちメダル数が加算更新されるため、遊技場のカウンタ等において、会員カードまたはビジターカードから持ちメダル数を特定して、該持ちメダル数に相当する景品等に交換、または別の遊技に使用することができる。また、プリペイド残額がある場合には、遊技場に設置されている精算機（図示略）等にてプリペイド残額を精算することができる。
【００４９】
このように、本実施例のメダル貸出機１００にあっては、対応するスロットマシン１にて遊技を開始する際にメダルＭの貸出を実施するだけでなく、遊技の終了時に精算を実施することができるため、遊技者はスロットマシン１から移動することなく、遊技の開始及び精算を行うことができる。
【００５０】
次に、遊技者により投入されたメダルＭを受け入れる受入部１４０について詳述する。図３に示すように、この受入部１４０は、導入経路カバー１４１の上端に設けられて上方に開口するようになっている。また、受入部１４０は、前述した導入経路カバー１４１を構成する前面板１４１ａと、この前面板１４１ａの左右側辺に設けられる側板１４１ｂ，１４１ｃと、導入経路カバー１４１が取り付けられる開閉板１０２と、により形成されている。
【００５１】
図３に示すように、左右の側板１４１ｂ，１４１ｃの上端縁の高さ位置は、それぞれ異なっており、左右の側板１４１ｂ，１４１ｃには、所定の高低差が設けられている。更に、左右の側板１４１ｂ，１４１ｃのうち左側の側板１４１ｂは、右側に設けられる側板１４１ｃよりも高く形成されている。尚、左側の側板１４１ｂの上端縁は、上方に膨出するように湾曲されて形成されるとともに、右側の側板１４１ｃの上端縁は、下方に凹むように湾曲されて形成されている。
【００５２】
また、図３に示すように、受入部１４０には、メダルＭの受け入れを可能とする開放状態とメダルＭの受け入れを不可能とする閉鎖状態とに開閉可能に設けられた蓋部材１６０（蓋体）が設けられている。そして、蓋部材１６０は、受入部１４０の開口１４０’を閉鎖する略板状をなす蓋板１６０ａと、この蓋板１６０ａの左右両側辺に設けられる蓋部材側板１６０ｂ，１６０ｃと、を有している。尚、蓋部材１６０における左右の蓋部材側板１６０ｂ，１６０ｃは、受入部１４０における左右の側板１４１ｂ，１４１ｃの内側に重畳及び接触して配置されている。尚、本実施例では、導入経路カバー１４１の上端に形成される開口が受入部１４０の開口１４０’となっている。
【００５３】
また、蓋部材１６０の左右の蓋部材側板１６０ｂ，１６０ｃは、導入経路カバー１４１における左右の側板１４１ｂ，１４１ｃの前部側に設けられた枢軸孔１４９に対して枢支される枢軸を有しており、この枢軸を軸心として蓋部材１６０が前後方向に回動可能に取り付けられている。そして、蓋部材１６０は、枢軸を軸心として回動されることで、受入部１４０を開放する開放位置と、受入部１４０を閉鎖する閉鎖位置とで変位可能となっている。尚、蓋部材１６０は、開放位置において蓋板１６０ａの前面側が前述の導入経路カバー１４１の前面板１４１ａの上端縁に当接されることで、所定の開放角度に維持されるようになっている。
【００５４】
また、開放状態の蓋部材１６０の左右の蓋部材側板１６０ｂ，１６０ｃの上端縁の高さ位置は、それぞれ異なっており、前述の導入経路カバー１４１の左右の側板１４１ｂ，１４１ｃと同様に、上下寸法の高低差が設けられている。更に、前述の導入経路カバー１４１の左右の側板１４１ｂ，１４１ｃと同様に、左右の蓋部材側板１６０ｂ，１６０ｃのうち、左側の蓋部材側板１６０ｂは右側に設けられる蓋部材側板１６０ｂよりも高く形成されている。尚、左側の蓋部材側板１６０ｂの上端縁は、上方に膨出するように湾曲されて形成されるとともに、右側の蓋部材側板１６０ｃの上端縁は、下方に凹むように湾曲されて形成されている。尚、後述するように、右側の蓋部材側板１６０ｃの下端縁も凹むように湾曲されて形成されている。
【００５５】
また、導入経路カバー１４１の右側の側板１４１ｃの上端縁の湾曲形状と、蓋部材１６０の右側の蓋部材側板１６０ｃの上端縁の湾曲形状は略同一をなしており、蓋部材１６０の開放状態では、受入部１４０の右側の側板１４１ｂ，蓋部材側板１６０ｃに湾曲した大きな凹みが形成される。この凹みは、導入経路カバー１４１の右側の側板１４１ｃと蓋部材１６０の右側の蓋部材側板１６０ｃとの間の継ぎ目の位置（図３中において側板１４１ｃと蓋部材側板１６０ｃとが重なる位置）に段差が生じないように、蓋部材１６０の開放状態で、右側の側板１４１ｃの上端縁と蓋部材側板１６０ｃの上端縁とが連続する湾曲形状に形成される。
【００５６】
尚、例えば、遊技者がスロットマシン１の下皿５に払い出されたメダルＭを、右方側にある受入部１４０に投入する際には、下皿５にあるメダルＭをメダル収容箱２００に移し替え、メダル収容箱２００を下皿５から取り外して受入部１４０に対して傾斜させることで、メダル収容箱２００のメダルＭを受入部１４０に投入することができるようになっている。その際に、蓋部材１６０の開放状態では、受入部１４０の右側、つまり、当該スロットマシン１の反対側の側板１４１ｃ、蓋部材側板１６０ｃに湾曲した大きな凹みが形成されることで、遊技者がメダル収容箱２００からメダルＭを投入する際に、メダル収容箱２００や、このメダル収容箱２００を使わずに遊技者が右手で投入する場合にその右手が右側の側板１４１ｃ、蓋部材側板１６０ｃに邪魔されにくくなり、メダルＭの投入作業をスムーズに行うことができる。また、受入部１４０の左側、つまり、当該スロットマシン１側の側板１４１ｂ、蓋部材側板１６０ｂが高く形成されることで、投入されたメダルＭは、この高く形成された左側の側板１４１ｂ、蓋部材側板１６０ｂに当たって受入部１４０内に導かれるようになるため、メダルＭの飛散が防止される。
【００５７】
尚、本実施例では、蓋部材１６０の開放状態では、受入部１４０の右側の側板１４１ｃ、蓋部材側板１６０ｃに湾曲した大きな凹みが形成されるようになっているが、この凹みの形状は、湾曲形状に限らず、受入部１４０の右側の側板１４１ｃ、蓋部材側板１６０ｃに略Ｖ字形状に切り欠かれた大きな凹みとなっていてもよいし、矩形状の凹部として形成されていてもよい。
【００５８】
また、図３中１点鎖線で示すように、蓋部材１６０を閉鎖状態にしたときに、右側の蓋部材側板１６０ｃの上端縁となる部位（開放状態における右側の蓋部材側板１６０ｃの下端縁）は、凹むように湾曲されて形成されている。そして、導入経路カバー１４１の右側の側板１４１ｃの上端縁の湾曲形状と、蓋部材１６０の右側の蓋部材側板１６０ｃの上端縁の湾曲形状は、略同一をなしており、閉鎖状態にしたときに、この蓋部材側板１６０ｃの上端縁と導入経路カバー１４１の右側の側板１４１ｃの上端縁とが略面一をなすように、両側板１４１ｃ、蓋部材側板１６０ｃが重なるようになっている。つまり、蓋部材１６０の右側の蓋部材側板１６０ｃは、導入経路カバー１４１の右側の側板１４１ｃに重畳されて覆われるようになっている。
【００５９】
図３に示すように、受入部１４０の蓋部材１６０が開放された状態では、メダルＭを受け入れることができる間口１４０ａが上方に開口する皿状に形成され、導入経路カバー１４１内の導入経路に向かって連通されている。また、この上面開口である間口１４０ａは平面視略正方形に形成され、導入経路カバー１４１から前方に拡大して形成されている。
【００６０】
また、開閉板１０２における受入部１４０の間口１４０ａに対応する位置には、計数装置１９０にてメダルＭが計数された際に発光する発光部１６５が設けられている。尚、この発光部１６５は、開閉板１０２に設けられた横長長方形状の開口から前面側に露呈している。図４に示すように、計数装置１９０には、メダルＭが計数された際に発光するＬＥＤユニット１９０ｆが設けられ、開閉板１０２の背面側には、計数装置１９０のＬＥＤユニット１９０ｆの発光を受光する受光部が設けられている。また、受光部には、導入された光を発光部１６５に導光する装飾用光ファイバ（図示略）が接続され、この光ファイバが開閉板１０２の背面に沿って上方に延設されて発光部１６５に接続されている。
【００６１】
このように発光部１６５を設けることで、メダルＭが計数装置１９０で計数されていることを遊技者に知らせることができる。また、対応するスロットマシン１にてメダルＭが払い出されていることを発光により周囲の遊技者に知らせることができるので、演出効果を高めることができるとともに、周囲の遊技者の視線を集めることで、不正なメダル（贋メダル）等が受入部１４０に投入されることを抑止できる。
【００６２】
また、ＬＥＤユニット１９０ｆを計数装置１９０に設けて、光ファイバによって発光部１６５までＬＥＤユニット１９０ｆの発光を発光部１６５まで導くことで、計数装置１９０と開閉板１０２との間の配線を不要にできるので、発光部１６５に直接ＬＥＤランプを設けることと比較して、構造を簡略化することができ、開閉板１０２の着脱作業も容易となる。
【００６３】
図４は、本実施例のメダル貸出機１００の構成を示すブロック図である。本実施例の制御ユニット１８１は、制御プログラムを実行可能な中央演算処理回路（ＣＰＵ）１８１ａや、内部カードリーダライタ１８７に受付け中のビジターカードや会員カードの（会員）カードＩＤ並びにプリペイド残額や、持ちメダル数、貯蓄メダル数、来店ポイント数、対応するスロットマシン１の台データ、遊技中の会員の遊技情報等の各種のデータを記憶可能なＲＡＭ１８１ｂや、中央演算処理回路（ＣＰＵ）１８１ａが実行する制御プログラムや、当該メダル貸出機１００の装置ＩＤを含む設定情報を書き換え記憶可能な不揮発性メモリであるＥＥＰＲＯＭ１８１ｃや、その時点の時刻情報やカレンダ情報等を出力可能なリアルタイムクロック（ＲＴＣ）１８１ｄを含み、ＲＡＭ１８１ｂは図示しない電池によりバックアップされており、電源が遮断されても、所定期間において記憶されているデータが保持される。また、制御ユニット１８１は、通信部１８４並びに前述したＨＵＢ７０を介して各種コンピュータとの双方向のデータ通信が可能とされている。
【００６４】
また、制御ユニット１８１には、前述した紙幣識別ユニット１８０や、状態報知ランプ１１１や、内部カードリーダライタ１８７や、顔画像撮影カメラ１８８や、払出装置１８２が接続されている。更に、制御ユニット１８１には、後述するメダル情報の総メダル貯留数、自店メダル貯留数、偽メダル貯留数の値をリセットするためのリセットスイッチ１８６が接続されている。このリセットスイッチ１８６は、筐体１０１の内部に設けられ、筐体１０１の前面下部の開閉板１０２を開放した場合に操作できる。
【００６５】
この開閉板１０２の上端には、開閉板鍵１０６が設けられ（図１参照）、この開閉板鍵１０６により施錠することで、開閉板１０２がメダル貸出機１００の前面側に取り外し不能に取り付けられる。尚、遊技場の店員等が携帯する所定の鍵（図示略）を開閉板鍵１０６に差し込まない限り、開閉板１０２を取り外せないようになっている。そして、リセットスイッチ１８６は、店員が後述するメダル貯留ボックス１９４を空にしたときに、押圧操作されるようになっている。
【００６６】
また、制御ユニット１８１には、貸出操作基板１８９が接続されており、この貸出操作基板１８９には、前述したカード残高表示部１１５に対応するカード残高表示器１１５’と、メダル貸出ボタン１１６に対応するメダル貸出ボタンスイッチ１１６’と、返却ボタン１１４に対応する返却ボタンスイッチ１１４’と、入金可ランプ１１３と、メダル貸出ランプ１１７と、メダル切れランプ１１８と、が設けられている。
【００６７】
また、制御ユニット１８１には、再プレイ操作基板１８５が接続されており、この再プレイ操作基板１８５には、前述した暗証番号表示部１１９に対応する暗証番号表示器１１９’と、テンキー１２０に対応するテンキースイッチ１２０’と、再プレイボタン１２１に対応する再プレイボタンスイッチ１２１’と、が設けられている。
【００６８】
また、制御ユニット１８１は、当該メダル貸出機１００の下部位置に設けられている計数装置１９０に接続され、該計数装置１９０による各計数信号が入力可能とされている。この計数装置１９０からの計数信号の入力に応じて、各種テーブルの更新を行うようになっている。この計数装置１９０には、前述したメダル撮影カメラ１９０ｃや、流路切換器１９０ｄが設けられるとともに、発光部１６５に対応するＬＥＤユニット１９０ｆが設けられている。さらに計数装置１９０には、メダル撮影カメラ１９０ｃで撮影したメダル画像等を一時的に記憶するメモリ１９０ｂや、これらのデバイスを制御し、かつメダルＭの真贋を判定するコントローラ１９０ａが設けられている。
【００６９】
本実施例のＲＡＭ１８１ｂに記憶されているカードテーブルには、カードリーダライタ１８７に挿入されたビジターカードや会員カードから読み出した（会員）カードＩＤと、会員ＩＤ（会員カードのみ）と、暗証番号（会員カードのみ）と、（会員）カードＩＤ並びにプリペイド残額データに基づくプリペイド残額と、カードＩＤから特定される持ちメダル数と、（会員）カードＩＤと会員ＩＤから特定される貯蓄メダル数（会員のみ）と、会員ＩＤから特定される来店ポイント数（会員のみ）と、が記憶される。尚、本実施例では、会員カードのみ暗証番号を設定できるようになっているが、ビジターカードにおいても暗証番号（例えば、１営業日限りまたは１回限り有効な暗証番号など）を設定できるようにし、該暗証番号を入力することで持ちメダル数を用いて再プレイできるようにしてもよい。
【００７０】
また、ＲＡＭ１８１ｂに記憶されているカード受付け中遊技情報には、カードリーダライタ１８７に会員カードまたはビジターカードが挿入された時点からの遊技情報、つまり、該挿入された会員カードまたビジターカードを所持する遊技者の遊技に関する遊技情報が集計される。具体的には、遊技者が遊技を開始した開始時間（カードの受付け時刻）と、遊技者が遊技を終了した終了時間（カードの返却時刻）と、遊技者の遊技時間と、遊技者のカードを受付けてから使用した持ちメダル数を示す使用持ちメダル数と、遊技者のカードを受付けてから再プレイに使用した再プレイメダル数（会員のみ）と、遊技者のカードを受け付けてから計数装置１９０に投入されたメダルが不正メダルとして判定された場合にその不正メダルと判定された累積数を示す累積不正メダル数と、が記憶され、対応するスロットマシン１で遊技中の遊技者が遊技を開始してからの遊技情報を把握できるようになっている。
【００７１】
また、ＲＡＭ１８１ｂに記憶されているメダル情報には、払出装置１８２から本日に払い出されたメダルの総数である払出総メダル数と、計数装置１９０に本日に投入されたメダルの総数である計数総メダル数（計数遊技媒体数）と、計数装置１９０にて不正メダルであると判定されたメダルの総数である総不正メダル数と、計数装置１９０にて不正メダルであると判定されてメダル貯留ボックス１９４に貯留されたメダルの総数である総メダル貯留数と、この総メダル貯留数のうち、自店の他の領域で用いられるメダルである自店メダルの貯留数を示す自店メダル貯留数と、他店等の外部から持ち込まれたメダルである偽メダルの貯留数を示す偽メダル貯留数と、が記憶される。また、ＲＡＭ１８１ｂには、計数装置１９０に投入されたメダルが連続して不正メダルであると判定された場合に、１が加算更新（インクリメント）される連続不正メダルカウンタが設定されている。
【００７２】
次に、本実施例におけるスロットマシン１の下皿５に着脱可能に取り付けられるメダル収容箱２００について、図５〜図１５に基づいて説明する。図５は、メダル収容箱を示す斜視図である。図６は、メダル収容箱を示す平面図である。図７は、メダル収容箱を示す正面図である。図８は、メダル収容箱を示す背面図である。図９は、（Ａ）はメダル収容箱を示す側面図であり、（Ｂ）は図７のＡ−Ａ断面図である。図１０は、メダル収容箱を下皿に取り付けた状態を示す縦断面図である。図１１は、メダル収容箱を下皿に取り付けた状態を示す平面図である。図１２は、図１１のＢ−Ｂ断面図である。図１３は、（Ａ）は下皿からメダル収容箱へメダルを移し替えている状態を示す縦断面図、（Ｂ）は平面図である。図１４は、メダル収容箱のメダルを受入部へ投入している状態を示す平面図である。図１５は、（Ａ）は下皿の前壁の前後幅寸法が約５ｍｍの場合におけるメダル収容箱の下皿への取り付け状態を示す図であり、（Ｂ）は、下皿の前壁の前後幅寸法が約７ｍｍの場合におけるメダル収容箱の下皿への取り付け状態を示す図である。図１６は、下皿の前壁の前後幅寸法が約１０ｍｍの場合におけるメダル収容箱の下皿への取り付け状態を示す図である。
【００７３】
図５〜図９に示すように、メダル収容箱２００は、メダル収容箱２００の底壁を構成する平面視略多角形状（本実施例では六角形）をなす底板部２０１と、該底板部２０１の後辺に立設された後板部２０２と、底板部２０１の左側辺に立設された左側板部２０３ａと、底板部２０１の右側辺に立設された右側板部２０３ｂと、底板部２０１の前辺に立設された前板部２０４と、底板部２０１の前左辺に立設された前左板部２０４ａと、底板部２０１の前右辺に立設された前右板部２０４ｂと、により上面が開口する箱状に形成される本体２１０と、後板部２０２の上辺に形成される下向きフック状の係止体としての左右一対の係止体２５０，２５１と、から構成されている。これら底板部２０１、左側板部２０３ａ、右側板部２０３ｂ、前板部２０４は、平面視略六角形状をなす底板部２０１の周縁にそれぞれ立設される周壁を構成している。尚、本実施例の底板部２０１は、各辺の角部に面取り加工が施されること等により該角部がＲ状になっているが、平面視略多角形状であれば、角部がこのようにＲ状になっているものもの含む。また、底板部２０１は必ずしも平面視略多角形状に形成されていなくてもよい。
【００７４】
尚、本実施例のメダル収容箱２００の本体２１０は、後述する上面の開口２２０の左右幅寸法が約２００ｍｍ、前後幅寸法が約１１３ｍｍ、上下幅寸法が約４０ｍｍとされており、所謂一般的なメダル収容箱よりもやや小型であり、後述するように下皿５に収容されたメダルＭを、遊技を終了するときなどにメダル貸出機１００の受入部１４０に投入するために移し替える収容箱として利用することを目的としている。
【００７５】
左側板部２０３ａは、底板部２０１の左辺から上方に向けて左側（外側）に傾斜するように立設されている。また、右側板部２０３ｂは、底板部２０１の右辺から上方に向けて右側（外側）に傾斜するように立設されている。また、前板部２０４は、底板部２０１の前辺から上方に向けて前側（外側）に傾斜するように立設されている。また、後板部２０２は、特に図９（Ｂ）に示すように、底板部２０１の後辺から上方に向けて前側（内側）に傾斜するように立設されている。
【００７６】
前左板部２０４ａは、底板部２０１の前左辺から上方に向けて左斜め前側に傾斜するように立設されており、前右板部２０４ｂは、底板部２０１の前右辺から上方に向けて右斜め前側に傾斜するように立設されている。このように、前板部２０４と左側板部２０３ａ、前板部２０４と右側板部２０３ｂとの間には、前左板部２０４ａ、前右板部２０４ｂが形成されている。また、左側板部２０３ａ及び右側板部２０３ｂは、底板部２０１の左右側辺からそれぞれ上方に向けて外側に傾斜するように立設されていることで、前板部２０４と左側板部２０３ａ、前板部２０４と右側板部２０３ｂの成す角度は鈍角のみの形状となる。つまり、本体２１０の前左右側角部が面取りされているとともに、左側板部２０３ａ、右側板部２０３ｂは下方に向けて内側に傾倒しているため、スロットマシン１において遊技を行っている遊技者の足等が本体２１０に接触しにくくなっている。
【００７７】
このように、底板部２０１の各辺に沿って後板部２０２、左側板部２０３ａ、右側板部２０３ｂ、前板部２０４、前左板部２０４ａ、前右板部２０４ｂが立設されていることにより、特に図６中に２点鎖線で示すように、本体２１０の上面に平面視略六角形状をなす開口２２０が形成されている。尚、本実施例の開口２２０は、後板部２０２、左側板部２０３ａ、右側板部２０３ｂ、前板部２０４、前左板部２０４ａ、前右板部２０４ｂの各角部に面取り加工が施されること等により角部がＲ状になっているが、平面視略六角形状であれば、角部がこのようにＲ状になっているものもの含む。また、開口２２０は必ずしも平面視略多角形状に形成されていなくてもよい。
【００７８】
また、後板部２０２の後面２０２Ｂにおける左右側には凹部２０２ａ，２０２ｂが形成されているとともに、後板部２０２の前面には、該凹部２０２ａ，２０２ｂに対応して一対の凸部２０２ｃ，２０２ｄが形成されている。これら凸部２０２ｃ，２０２ｄによって、後板部２０２の強度の向上が図られている。
【００７９】
前板部２０４の前面左右側には、図７に示すように、前方に突出する一対のリブ２０４ｃ，２０４ｄが上下方向に向けて延設されており、これらリブ２０４ｃ，２０４ｄによって前板部２０４の強度の向上が図られているとともに、特に図示しないが、メダル収容箱２００を積み重ねる際に下方のメダル収容箱２００の前板部２０４同士が密着して取れにくくなることが防止されている。さらに、前左板部２０４ａ、前右板部２０４ｂがあることで、積み重ねる際における左右の位置ずれが防止される。また、底板部２０１には、メダルＭの直径よりも小径の円形の孔部２４０ａ〜２４０ｃが複数個所に形成されており、積み重ねる際における空気抜き及び水抜き用孔として機能しているとともに、底板部２０１上のゴミ等を落下させることができるようになっている。
【００８０】
左側板部２０３ａ及び右側板部２０３ｂの上辺は、前板部２０４、前左板部２０４ａ、前右板部２０４ｂ、後板部２０２の上辺よりも低位置にある。また、前板部２０４、前左板部２０４ａ、前右板部２０４ｂの上辺は、後板部２０２の上辺よりも高位置にある。尚、左側板部２０３ａ、右側板部２０３ｂ、前板部２０４、前左板部２０４ａ、前右板部２０４ｂの上部には、外側に屈曲された後に下向きに折り返されフランジ部が形成されていることで、本体２１０の強度が向上されている。
【００８１】
後板部２０２の上端辺における左右両端部には、メダル収容箱２００を下皿５の前壁５ａの上端に係止する左右一対の係止体２５０，２５１が形成されている。尚、左右の係止体２５０，２５１は左右対称形で同一構成のため、以下においては左側の係止体２５０についてのみ説明し、右側の係止体２５１についての説明は省略する。係止体２５０は、図６に示すように、後板部２０２の上端辺から延設される下向きフック状のフック片２５０ａと、これらフック片２５０ａの内外側辺にそれぞれ配設される内側壁２５０ｂ及び外側壁２５０ｃと、から構成されている。フック片２５０ａは横向き板状に形成され、内側壁２５０ｂ及び外側壁２５０ｃは縦向き板状に形成されている。尚、係止体２５１は、フック片２５１ａと内側壁２５１ｂ及び外側壁２５１ｃとから構成されている。
【００８２】
図９及び図１０に示すように、内側壁２５０ｂ及び外側壁２５０ｃの端辺は、後板部２０２と平行をなすように上方に向けて漸次前側に傾斜する基部２３０ａと、基部２３０ａの上端から後方に向けて上側に傾斜する傾斜部２３１ａと、傾斜部２３１ａの後端から下方に折り返すように屈曲する折返し部２３２ａと、を有している。尚、係止体２５１の内側壁２５１ｂ及び外側壁２５１ｃの端辺は、基部２３０ｂと、傾斜部２３１ｂと、折返し部２３２ｂと、を有している。
【００８３】
このように係止体２５０は、前壁５ａの上端に係止されるのは内側壁２５０ｂ及び外側壁２５０ｃの端辺とされており、該内側壁２５０ｂ及び外側壁２５０ｃの端辺を構成する基部２３０ａ、傾斜部２３１ａ、折返し部２３２ａは下向きフック状に形成されている。詳しくは、傾斜部２３１ａが前壁５ａの上端面に載置するように当接され、折返し部２３２ａが前壁５ａの背面に沿って配置されることで前壁５ａに係止されるようになっている。また、折返し部２３２ａにおける上下方向の略中央位置には、該折返し部２３２ａの下部側が上部側に対し後側にずれて形成されることにより係止段部２６０ａが形成されており、後述するようにこの係止段部２６０ａを利用して前壁５ａに係止することも可能とされている。尚、係止体２５１の折返し部２３２ｂにおける上下方向の略中央位置には、係止段部２６０ｂが形成されている。
【００８４】
傾斜部２３１ａは、その前後幅寸法Ｌ１（Ｌ１＝約５ｍｍ、図９参照）が前壁５ａの前後幅寸法Ｌ２（Ｌ２＝約３ｍｍ、図１０参照）よりも長寸に形成されているため、前壁５ａの上端に係止したときに傾斜部２３１ａが前壁５ａの上端に当接するようになっている。
【００８５】
折返し部２３２ａは、傾斜部２３１ａによって、基部２３０ａ及び後板部２０２の後面２０２Ｂに対して後側に所定の隙間（例えば、前壁５ａの前後幅寸法Ｌ２よりも長寸の隙間）を隔てて、上方から下方に向けて後側に傾斜するように形成されている。これにより、折返し部２３２ａと、基部２３０ａ及び後板部２０２の後面２０２Ｂとの間の隙間が下方に向けて漸次幅広となるように形成されているので、前壁５ａの上端に上方から係止しやすくなっている。
【００８６】
尚、本実施例では、係止体２５０は、フック片２５０ａと内側壁２５０ｂと外側壁２５０ｃとにより側面視下向きコ字形に構成されることにより、フック片２５０ａを肉厚にして強度を向上するよりも強度を維持しつつ軽量化が図られているが、前壁５ａの上端に係止可能に構成されていれば、板状のフック片２５０ａのみにより構成されていてもよい。
【００８７】
また、フック片２５０ａの裏面における折返し部２３２ａに対応する部位の下端には、前側に向けて突出するリブ２３３ａが左右方向に向けて延設されている。また、フック片２５０ａにおける折返し部２３２ａに対応する部位の下端は、図８に示すように、背面視で左右幅寸法が上方から下方に向けて漸次短寸をなすように先細りテーパ状に形成されているため、係止体２５０を前壁５ａに係止する際において下皿５内に貯留されているメダルＭに接触したときに、係止体２５０の下端がメダルＭを押し分けるようにして入り込むので、下皿５にメダルＭが貯留されているときでも、大きな力を要せずして前壁５ａに係止することができる。
【００８８】
また、係止体２５０のフック片２５０ａの前面と前左板部２０４ａとの間には、左側板部２０３ａが前左板部２０４ａよりも低いことによりメダルＭを流出可能な側面視略上向きコ字形の流出部２０６ａが形成され、係止体２５１のフック片２５１ａの前面と前右板部２０４ｂとの間には、右側板部２０３ｂが前右板部２０４ｂよりも低いことによりメダルＭを流出可能な側面視略上向きコ字形の流出部２０６ｂが形成されている。つまり、本体２１０の周壁における左側板部２０３ａ及び右側板部２０３ｂの上部が切欠かれることにより側面視略上向きコ字形の流出部２０６ａ，２０６ｂが形成されることで、後述するようにメダルＭを流出するときに、これら前左板部２０４ａ、前右板部２０４ｂとフック片２５０ａ，２５１ａの前面とによりメダルＭがガイドされ、前後に散乱して零れ落ちないようになっている。尚、図１４に示すように、この流出部２０６ａ，２０６ｂの前後幅寸法Ｌ１１は約６６ｍｍとされ、メダル貸出機１００の受入部１４０の開口１４０’の左右幅寸法Ｌ１２（約９０ｍｍ）よりも短寸とされている（Ｌ１１＜Ｌ１２）。尚、本実施例では、流出部２０６ａ，２０６ｂの前後幅寸法Ｌ１１は、受入部１４０の開口１４０’の左右幅寸法Ｌ１２よりも短寸とされていたが、前後幅寸法Ｌ１１と左右幅寸法Ｌ１２とは略同一（例えば、誤差約１ｍｍ程度）としてもよい。
【００８９】
また、流出部２０６ａ，２０６ｂは本体２１０の左右両端部に形成されているので、本体２１０内に収納されているメダルＭを受入部１４０に投入する際には、左右いずれの流出部２０６ａ，２０６ｂからでも受入部１４０にメダルＭを投入することが可能となっている。尚、本実施例では、流出部２０６ａ，２０６ｂは左右側に形成されていたが、流出部２０６ａ，２０６ｂは左右のうちいずれか一方にのみ形成されていてもよいし、特に流出部を設けなくてもよい。
【００９０】
また、図６に示すように、左右の係止体２５０，２５１の内側壁２５０ｂ，２５１ｂは、平面視において、前方に向けて互いに近づくように傾斜している（図６中１点鎖線Ｐ１に沿うように傾斜している）。つまり、内側壁２５０ｂ，２５１ｂは、互いの離間幅寸法が前方に向けて漸次短寸となるようにテーパ状に形成されている。
【００９１】
さらに、図７に示すように、係止体２５０，２５１の内側壁２５０ｂ，２５１ｂは、下方に向けて互いに近づくように傾斜している（図７中１点鎖線Ｐ２に沿うように傾斜している）。つまり、内側壁２５０ｂ，２５１ｂは、互いの離間幅寸法が下方に向けて漸次短寸となるようにテーパ状に形成されている。
【００９２】
次に、メダル収容箱２００が下皿５に取り付けられたときの態様について、図１０〜図１２に基づいて説明する。
【００９３】
図１０に示すように、本実施例において、本体２１０の開口２２０は、前板部２０４、前左板部２０４ａ、前右板部２０４ｂ、左側板部２０３ａ、右側板部２０３ｂ、後板部２０２それぞれの上辺のうち最も高さが低い左側板部２０３ａ、右側板部２０３ｂの上辺に沿うように設けられているものとする（図中に示す線分Ｃに沿うように設けられている）。また、開口２２０は、底板部２０１に対し平行をなしている。尚、左側板部２０３ａ、右側板部２０３ｂ以外の前板部２０４、前左板部２０４ａ、前右板部２０４ｂ、後板部２０２のいずれかの上辺に沿うように設けられているものとしてもよい。
【００９４】
そして、本体２１０は、開口２２０の後辺２２０ａ、言い換えると、後板部２０２における開口２２０に臨む辺（後板部２０２における線分Ｃと交差する辺）から該開口２２０に対し直交する垂線である線分Ｄよりも後側に膨出する膨出部２１０Ａを有している。具体的には、膨出部２１０Ａは、下方に向けて漸次後側に膨出するように、側面視略三角形状に形成されている。つまり、後板部２０２は、上辺から下辺に向けて漸次後側に傾斜するように開口２２０に対し傾倒して設けられているため、本体２１０の後側に、線分Ｄ（後辺２２０ａ）よりも後側に膨出する膨出部２１０Ａが形成される。また、後板部２０２は開口２２０に対し傾倒しているとともに、底板部２０１に対し開口２２０が平行をなすことで、底板部２０１と後板部２０２との内角θ１は９０度未満とされている。
【００９５】
このように構成されたメダル収容箱２００を下皿５の前壁５ａに取り付けるには、図１０〜図１２に示すように、左右の係止体２５０，２５１を上方から前壁５ａの上端に係止する。具体的には、折返し部２３２ａ，２３２ｂと後板部２０２の後面２０２Ｂとの間に前壁５ａを差し込むようにして係止する。
【００９６】
そして、前壁５ａの上端に傾斜部２３１ａ，２３１ｂと折返し部２３２ａ，２３２ｂとからなる係止部が係止されると、本体２１０は、傾斜部２３１ａと折返し部２３２ａとの境界位置（傾斜部２３１ｂと折返し部２３２ｂとの境界位置）である境界部Ｋを支点として、自重により前側が下方に下降する方向に揺動しようとするが、後板部２０２の後面２０２Ｂの下部、つまり、膨出部２１０Ａの後面における所定の当接部Ｔが前壁５ａの前面下部に当接することにより揺動が規制され、所定の姿勢に維持される。
【００９７】
ここで、本体２１０は開口２２０の後辺２２０ａよりも後側に膨出する膨出部２１０Ａを有することで、下皿５の前壁５ａが前傾していても（例えば、垂線に対して約５度傾斜）、該前壁５ａの上端に係止体２５０，２５１を係止したときに、後板部２０２の後面２０２Ｂの下部所定箇所である当接部Ｔが開口２２０の後辺２２０ａよりも後側で前壁５ａの前面５ｂと当接することにより、本体２１０の上部左右側の係止体２５０，２５１と下部の当接部Ｔとの３点で支持され、係止体２５０，２５１を中心とした本体２１０の開口２２０の前側の下方への傾倒が規制されるとともに、係止体２５０，２５１の傾斜部２３１ａ，２３１ｂに対し本体２１０の開口２２０の前側が上方に傾倒しているため、本体２１０は、開口２２０の前側が後側よりも上方に位置するように傾斜して配置される姿勢で支持される。つまり、開口２２０の前側が水平面（図示略）に対し上方に位置するように傾倒する。よって、前壁５ａの上端が前側に傾倒していても、本体２１０の開口２２０の前側が下方に傾いてメダルＭが零れ落ちやすくなることが防止される。
【００９８】
具体的には、メダル収容箱２００が下皿５に取り付けられている状態において、開口２２０は、傾斜部２３１ａと折返し部２３２ａ（または傾斜部２３１ｂと折返し部２３２ｂ）との境界部Ｋと後板部２０２の後面２０２Ｂにおける前壁５ａの前面５ｂとの当接部Ｔとを結ぶ線分Ａに直交する前後方向を向く線分Ｂに対し、後側よりも前側が上方に位置するように傾倒するように構成されている。つまり、境界部Ｋと当接部Ｔとを通る上下方向を向く線分Ａは、実質的に前壁５ａに沿う線分であるため、前壁５ａの傾斜角度が異なる場合であっても、少なくともこの線分Ａに対し直交する線分Ｂよりも開口２２０の前側が下方に傾倒しないように本体２１０を形成しておけば、前壁５ａに係止したときに開口２２０の前側が下方に大きく傾いてしまうことを防止できる。尚、線分Ｂは、境界部Ｋを通る線分とされているが、境界部Ｋ以外の点を通過する線分であってもよい。また、当接部Ｔは、前壁５ａの傾斜角度や高さ、膨出部２１０Ａの形状等に応じて種々に変更可能である。
【００９９】
このように、本実施例におけるメダル収容箱２００は、前壁５ａの上端に係止体２５０，２５１を係止したときに後板部２０２の後面２０２Ｂの少なくとも一部である当接部Ｔが前壁５ａの前面５ｂに当接することで、本体２１０の開口２２０が上向きに支持される、つまり、開口２２０の前側が後側よりも上方に位置するように支持される。よって、遊技者が下皿５のメダルＭを手前側に掻き出すようにしてメダル収容箱２００内に移し替えても、前板部２０４の上辺が前壁５ａの上端とほぼ同じ高さ位置に保持されていることで、該メダル収容箱２００内のメダルＭがメダル収容箱２００の前方から零れ落ちてしまうことが防止される。さらに、前壁５ａに係止した状態で底板部２０１が後方に向けて下側に傾斜することで、本体２１０内に収容されたメダルＭが膨出部２１０Ａ側に偏り、後板部２０２の当接部Ｔが前壁５ａの前面５ｂに圧接されるため、本体２１０が安定して支持される。
【０１００】
また、図１１及び図１２に示すように、メダル収容箱２００が下皿５に取り付けられている状態では、後板部２０２の上辺は下皿５の前壁５ａの上端よりも下方位置に配置される。さらに、図１１に示すように、前壁５ａが、平面視において左右方向の中央部が前側に膨出するように緩やかに湾曲しているとともに、後板部２０２の後面が平坦面である場合、当接部Ｔは、後板部２０２の後面２０２Ｂにおける左右方向に延設されず、後板部２０２の後面２０２Ｂにおける左右方向の略中央部のみとなるが、左右の係止体２５０，２５１により３点で支持されることで、係止された状態で本体２１０の左右側が前後方向に揺動することがなく、安定して支持される。また、図１２に示すように、後板部２０２の上辺は前壁５ａの上端よりも下方に位置する。
【０１０１】
次に、メダル収容箱２００が下皿５に取り付けられている状態において、下皿５からメダル収容箱２００へメダルＭを移し替えた後、メダル収容箱２００内のメダルＭを受入部１４０に投入する際の態様を、図１３〜図１４に基づいて説明する。
【０１０２】
図１３（Ａ）（Ｂ）に示すように、下皿５に払い出されたメダルＭをメダル収容箱２００へ移し替える場合は、先ず、遊技者が自身の手によって下皿５内のメダルＭを手前側に掻き出すようにして、メダルＭを前壁５ａの後面の傾斜に添ってメダル収容箱２００側に移動させて前壁５ａを乗り越えさせる。このとき、後板部２０２の上辺は、前壁５ａの上端よりも下方に配置されているため、メダルＭを後板部２０２の上辺に引っかけること無く前壁５ａを乗り越えさせることができる。
【０１０３】
また、左右の係止体２５０，２５１における対向面に内側壁２５０ｂ，２５１ｂが立設されていることで、前壁５ａの上端に係止体２５０，２５１を係止したときに、前壁５ａの前面５ｂ、上端面、背面から外側に張り出すように内側壁２５０ｂ，２５１ｂが立設されることで、左右の係止体２５０，２５１の間でメダルＭを移し替える際に、これら左右の内側壁２５０ｂ，２５１ｂが落下防止壁の役割を果たすため、前壁５ａを乗り越えさせてメダルＭを移し替える際に本体２１０の左右側からメダルＭが零れ落ちにくくなる。
【０１０４】
また、互いに対向する内側壁２５０ｂ，２５１ｂは、平面視において、前方に向けて互いに近づくように傾斜していることで（図６中１点鎖線Ｐ１参照）、下皿５内のメダルＭを手前側に移し替える際に下皿５側の間口が大きくなり、かつ、手前側にある本体２１０側に向けて掻き出されたメダルＭが中央に寄せられるようにガイドされるため、メダルＭが本体２１０の左右側から零れ落ちにくくなる。さらに、互いに対向する内側壁２５０ｂ，２５１ｂは、下方に向けて互いに近づくように傾斜していることで（図７中１点鎖線Ｐ２参照）、下皿５内のメダルＭを手前側に移し替える際に内側壁２５０ｂ，２５１ｂ間における上側の間口が大きくなるため、上方から内側壁２５０ｂ，２５１ｂ間に手を差し込みやすく、また、視認しやすいので、メダルＭを移し替えやすくなる。
【０１０５】
下皿５のメダルＭの一部または全てをメダル収容箱２００へ移し替えた後、メダル収容箱２００を上昇させることで係止体２５０，２５１による係止状態が簡単に解除されるので、下皿５からメダル収容箱２００を容易に取り外すことができる。次いで、図１４に示すように、例えば、メダル収容箱２００の右側の流出部２０６ｂを受入部１４０に向け、他方の流出部２０６ａ側を上昇させることにより、メダル収容箱２００内のメダルＭが右側板部２０３ｂ及び前右板部２０４ｂの傾斜に添って流出部２０６ｂに誘導され、該流出部２０６ｂから受入部１４０内に投入される。尚、メダル収容箱２００の左側の流出部２０６ａを受入部１４０に向け、他方の流出部２０６ｂ側を上昇させることにより、メダル収容箱２００内のメダルＭを受入部１４０内に投入してもよい。
【０１０６】
また、このようにメダル収容箱２００のメダルＭを流出部２０６ｂから受入部１４０内に投入する際に、本体２１０を図１４において平面視右側、つまり、前板部２０４側を下方に傾倒させることで、後板部２０２と底板部２０１との間の鋭角な角部内に入り込んだメダルＭが右側の前板部２０４側に誘導されやすくなるとともに、前板部２０４側に誘導されたメダルＭが前右板部２０４ｂにより流出部２０６ｂ側にスムーズに誘導するようになるので、後板部２０２の反対側（前側）に前右板部２０４ｂが配置されていることで、膨出部２１０Ａの内側に入り込んだメダルＭをスムーズに流出部２０６ｂに誘導して流出させることができる。
【０１０７】
また、本実施例では、前述したように、前後幅寸法（厚み）Ｌ２が約３ｍｍの前壁５ａへ係止体２５０，２５１を係止することでメダル収容箱２００を下皿５に取り付けているが、メダル収容箱２００は、前壁５ａの前後幅寸法Ｌ２が３ｍｍ以下または３ｍｍ以上であっても下皿５に対して取り付けることが可能となっている。
【０１０８】
具体的には、図１５（Ａ）に示すように、前壁５ａの前後幅寸法が例えば約５ｍｍ（前後幅寸法Ｌ２’＝約５ｍｍ）である場合、係止体２５０，２５１の傾斜部２３１ａ，２３１ｂの前後幅寸法Ｌ１は約５ｍｍで略同一であることで、傾斜部２３１ａ，２３１ｂが前壁５ａの上端に当接されるため、前壁５ａの前後幅寸法Ｌ２が約３ｍｍである場合と同様にメダル収容箱２００の下皿５への取り付けを行うことができる。このように、傾斜部２３１ａ，２３１ｂの前後幅寸法Ｌ１は前壁５ａの上端の前後幅寸法Ｌ２’と略同寸であってもよい。尚、略同寸とは、例えば、前後幅寸法Ｌ１と前後幅寸法Ｌ２’との誤差が例えば約１ｍｍ範囲内であるものを含む。このように、前壁５ａの前後幅寸法２が約５ｍｍ以下である場合は、図１０や図１５（Ａ）に示すように傾斜部２３１ａ，２３１ｂを前壁５ａの上端に当接させた状態で係止することができる。
【０１０９】
また、図１５（Ｂ）に示すように、前壁５ａの前後幅寸法が約７ｍｍ（前後幅寸法Ｌ２’’＝約７ｍｍ）である場合は、傾斜部２３１ａ，２３１ｂを前壁５ａの上端に当接するようにして係止することはできないが、折返し部２３２ａ，２３２ｂは、下方に向けて漸次後側に傾斜していることで、前壁５ａの前後幅寸法Ｌ２’’に応じて、折返し部２３２ａ，２３２ｂにおける係止段部２６０ａ，２６０ｂの上方位置と基部２３０ａ，２３０ｂとの間で前壁５ａを挟み込みようにして係止することができる。このように、前壁５ａの前後幅寸法が約６ｍｍ以上９ｍｍ以下である場合は、図１５（Ｂ）に示すように、折返し部２３２ａ，２３２ｂと基部２３０ａ，２３０ｂとの間で前壁５ａを挟み込みようにして係止することができる。
【０１１０】
また、図１６に示すように、前壁５ａの前後幅寸法が例えば約１０ｍｍ（前後幅寸法Ｌ２’’’＝約１０ｍｍ）である場合は、折返し部２３２ａ，２３２ｂに係止段部２６０ａ，２６０ｂが形成されていることで、折返し部２３２ａ，２３２ｂの下側における後板部２０２の後面２０２Ｂとの離間幅が上側よりも広がっているため、この係止段部２６０ａ，２６０ｂを前壁５ａの上端に当接するようにして係止することができる。また、この場合、フック片２５０ａ，２５１ａの下部における後板部２０２との対向部に設けられているリブ２３３ａ，２３３ｂが前壁５ａの背面に当接する。このため、メダル収容箱２００に該メダル収容箱２００が下皿５から脱落する方向に負荷がかかったとしても、リブ２３３ａ，２３３ｂと前壁５ａとの間に生じる摩擦力によってメダル収容箱２００の下皿５に対する取り付けを維持することが可能となっているとともに、メダルＭがフック片２５０ａ，２５１ａと前壁５ａとの間に入り込むことが防止される。
【０１１１】
このように、メダル収容箱２００は、遊技機の一例であるスロットマシン１の製造メーカーや機種が異なることで、前壁５ａの傾斜角度や高さや肉厚が異なる場合でも、これらに応じた態様で係止体２５０，２５１を係止して当接部Ｔを前面５ｂに当接させて支持することができるようになっている。
【０１１２】
以上、本発明の実施例としてのメダル収容箱２００にあっては、係止体２５０，２５１は、本体２１０の開口２２０に対し後方に向けて上側に傾斜する傾斜部２３１ａ，２３１ｂと、傾斜部２３１ａ，２３１ｂの先端から下向きに延びる折返し部２３２ａ，２３２ｂと、を含み、本体２１０は、開口２２０の後辺２２０ａよりも後側に膨出する膨出部２１０Ａを有することで、遊技媒体貯留部としての下皿５の前壁５ａが前傾していても、該前壁５ａの上端に係止体２５０，２５１を係止したときに後板部２０２の後面２０２Ｂが開口２２０の後辺２２０ａよりも後側で前壁５ａの前面５ｂと当接することにより、係止体２５０，２５１を中心とした本体２１０の開口２２０前側の下方への傾倒が規制されるとともに、係止体２５０，２５１の傾斜部２３１ａ，２３１ｂに対し開口２２０の前側が上方に傾倒しているため、前壁５ａの傾倒に応じて本体２１０の開口２２０の前側が下方に傾いてメダルＭが零れ落ちることが防止される。
【０１１３】
また、本体２１０の後側に膨出部２１０Ａが形成されていることで、前壁５ａに係止したときに本体２１０が所定の姿勢、つまり、開口２２０の前側が後側よりも上方に傾倒するまたは略水平となる姿勢で支持されるため、遊技者が脚でメダル収容箱２００を下方から支えたりしなくても開口２２０が上方を向くのでメダルＭを移し替えやすい。さらに、メダルＭの収容スペースが後側に向けて張り出すように形成されるため、例えば、後板部２０２の後面２０２Ｂに突出部を形成して当接部Ｔを構成した場合に比べて、メダルＭの収容スペースを遊技者の脚等が邪魔にならない本体後側に確保することができるようになる。
【０１１４】
また、本実施例では、前壁５ａの上端に係止体２５０，２５１を係止したときに、開口２２０の前側が後側よりも上方に傾倒するように本体２１０が支持されるようになっていたが、開口２２０は略水平に配置されても良いし、前側が後側よりも若干下方に傾倒するように本体２１０が支持されても良い。尚、この場合、開口２２０は線分Ｃに対し前側が下方に位置しない程度の傾倒とすることが好ましい。
【０１１５】
また、傾斜部２３１ａ，２３１ｂの長さ（前後幅寸法Ｌ１）は、前壁５ａの上端の厚み幅寸法（前後幅寸法Ｌ２）よりも長寸または前壁５ａの上端の厚み幅寸法（前後幅寸法Ｌ２’）と略同寸に形成されていることで、係止したときに傾斜部２３１ａ，２３１ｂが前壁５ａの上端に当接するので、安定性が向上する。
【０１１６】
また、開口２２０は、傾斜部２３１ａ，２３１ｂと折返し部２３２ａ，２３２ｂとの境界部Ｋと当接部Ｔとを結ぶ線分Ａに直交する前後方向を向く線分Ｂに対し、後側よりも前側が上方に位置するように傾倒することで、開口２２０の前側が下方に傾いてメダルＭが零れ落ちやすくなることが防止される。
【０１１７】
また、折返し部２３２ａ，２３２ｂは、境界部Ｋから下方に向けて後側に傾斜していることで、後板部２０２の後面２０２Ｂと折返し部２３２ａ，２３２ｂとの間口が広がるため、前壁５ａに係止しやすくなる。
【０１１８】
後板部２０２の左右側に互いに離間した２つの傾斜部、つまり、左右の係止体２５０，２５１それぞれの傾斜部２３１ａ，２３１ｂと該２つの傾斜部からそれぞれ延びる２つの折返し部２３２ａ，２３２ｂと、が形成されていることで、下皿５のメダルＭを左右の傾斜部２３１ａ，２３１ｂ及び折返し部２３２ａ，２３２ｂの間から本体２１０に移し替えることができるので、移し変えの際に係止体２５０，２５１が邪魔になることがない。
【０１１９】
また、係止体２５０，２５１は、メダルＭの落下を防止する落下防止壁としての内側壁２５０ｂ，２５１ｂが立設されていることで、下皿５のメダルＭを本体２１０に移し替えるときにメダルＭが落下することが防止される。
【０１２０】
係止体２５０，２５１は、折返し部２３２ａ，２３２ｂの一部に、前壁５ａの上端に係止可能な係止段部２６０ａ，２６０ｂが形成されていることで、厚み幅の違う前壁５ａにも対応して係止することができる。尚、本実施例では、折返し部２３２ａ，２３２ｂの一部に前壁５ａの上端に係止可能な係止段部２６０ａ，２６０ｂが形成されていたが、傾斜部２３１ａ，２３１ｂの少なくとも一部に係止段部が形成されていてもよい。また、係止段部は複数個所に形成されていてもよい。
【０１２１】
また、折返し部２３２ａ，２３２ｂの下端における後板部２０２との対向面（対向部）には該後板部２０２に向けて突出する突出部であるリブ２３３ａ，２３３ｂが形成されていることで、下皿５からメダルＭを取り出すときに折返し部２３２ａ，２３２ｂと前壁５ａとの間にメダルＭが進入して挟まってしまうことが防止される。
【０１２２】
また、本実施例では、メダル収容箱２００の本体２１０は、底板部２０１は平面視略六角形に形成されていたが、平面視六角形以外の多角形状に形成されていてもよいし、平面視多角形以外の形状に形成されていてもよい。
【０１２３】
また、本実施例では、係止体２５０，２５１は後板部２０２の上辺長手方向左右端部に形成されていたが、１箇所に形成されていてもよいし、２箇所以上形成されていてもよい。
【０１２４】
図１７には、変形例としてのメダル収容箱２００Ａが示されている。図１７は、本発明の変形例としてのメダル収容箱を示す斜視図である。尚、本変形例において、前記実施例に記載のメダル収容箱２００と同様の構成部位には同様の符号を付すことでその詳細な説明は省略するものとする。
【０１２５】
本変形例におけるメダル収容箱２００Ａは、本体２１０における後板部２０２の上辺に、一の係止体２５０Ａが形成されている。係止体２５０Ａは、左右幅寸法が後板部２０２の上辺の左右幅寸法と同寸の板部材にて下向きフック状に形成されており、その裏面は、後板部２０２と平行をなすように上方に向けて漸次前側に傾斜する基部２３０ｃと、基部２３０ｃの上端から後方に向けて上側に傾斜する傾斜部２３１ｃと、傾斜部２３１ｃの後端から下方に折り返すように屈曲する折返し部２３２ｃと、を有している。また、係止体２５０Ａの左右側には、メダルＭの落下を防止する落下防止壁２７０ａ，２７０ｂが上方及び後方に向けて立設されている。
【０１２６】
このように本発明にあっては、本変形例に示すように、係止体２５０Ａは１つのみ形成されていてもよい。また、係止体２５０Ａは、左右幅寸法が後板部２０２の上辺の左右幅寸法と同寸の板部材にて構成されていることで、下皿５のメダルＭを係止体２５０Ａを乗り越えるようにして本体２１０に移し替えることができるので、移し替えの際に前壁５ａと後板部２０２との間からメダルＭが零れ落ちることがないとともに、後板部２０２の上部が長手方向にわたり下向きフック状に形成されることで本体２１０の強度が向上する。尚、係止体は、本変形例の係止体２５０Ａのように左右幅寸法が後板部２０２の上辺の左右幅寸法と同寸の板部材にて構成されていなくても、後板部２０２の上辺の左右幅寸法よりも短寸であってもよい。
【０１２７】
また、前記実施例では、係止体２５０，２５１は、後板部２０２の上辺から上方に向けて延設された基部２３０ａ，２３０ｂを有し側面視下向き略Ｕ字形に形成されていたが、少なくとも傾斜部２３１ａ，２３１ｂと折返し部２３２ａ，２３２ｂとを有していれば、基部２３０ａ，２３０ｂはなくてもよい。つまり、側面視略Ｌ字形に形成されていてもよい。
【０１２８】
また、本実施例では、傾斜部２３１ａ，２３１ｂと折返し部２３２ａ，２３２ｂとは、内側壁２５０ｂ，２５１ｂと外側壁２５０ｃ，２５１ｃの端辺に形成されていたが、フック片２５０ａ，２５１ａの裏面に形成されていてもよい。また、これら傾斜部２３１ａ，２３１ｂと折返し部２３２ａ，２３２ｂとは直線状に形成され、互いの境界部Ｋが屈曲部として形成されていたが、傾斜部２３１ａ，２３１ｂと折返し部２３２ａ，２３２ｂとが連続する一の曲線（曲面）にて形成されていてもよい。
【０１２９】
また、本実施例では、本体２１０の膨出部２１０Ａは、下方に向けて漸次後側に膨出するように形成されていたが、開口２２０の後辺２２０ａ（線分Ｄ）よりも後側に膨出していれば、例えば、開口２２０に対し直交して設けられた後板部２０２の後面２０２Ｂの一部が後側に膨出しているもの等も含む。つまり、後板部２０２は必ずしも開口２２０に対し直交するように形成されていなくてもよい。また、底板部２０１は、必ずしも開口２２０に対し平行に配置されていなくてもよい。
【０１３０】
また、本実施例では、メダル収容箱２００は、下皿５のメダルＭをメダル貸出機１００の受入部１４０に投入するために一時的にメダルを収容する際に使用するものとして記載されていたが、例えば、サイズを大型化して、所謂一般的なメダル収容箱のように下皿５のメダルを遊技場の計数器等に投入するまで収容しておくメダル収容箱にも適用可能である。
【０１３１】
以上、本発明の実施例を図面により説明してきたが、具体的な構成はこれら実施例に限られるものではなく、本発明の要旨を逸脱しない範囲における変更や追加があっても本発明に含まれる。
【０１３２】
例えば、前記実施例では、本発明の遊技機の一例として、遊技用価値としてメダル（遊技媒体）やクレジット等を用いて遊技を行うスロットマシン１を適用したが、本発明はこれに限定されるものではなく、払い出された遊技媒体を貯留する遊技媒体貯留部を有しているものであれば、遊技用価値としてパチンコ球（遊技媒体）を用いて遊技を行うスロットマシンであってもよいし、パチンコ遊技機や雀球遊技機等も適用可能である。
【符号の説明】
【０１３３】
１    スロットマシン
５    下皿
５ａ    前壁
１００    メダル貸出機
２００    メダル収容箱
２０２    後板部
２０２Ｂ    後面
２１０    本体
２１０Ａ    膨出部
２２０    開口
２２０ａ    後辺
２３０ａ，２３０ｂ    基部
２３１ａ，２３１ｂ    傾斜部
２３２ａ，２３２ｂ    折返し部
２５０，２５１    係止体
２５０ａ，２５１ａ    フック片
２５０ｂ，２５１ｂ    内側壁
２５０ｃ，２５１ｃ    外側壁
２６０ａ，２６０ｂ    係止段部
【図１】
2014180314.tif 000003
【図２】
2014180314.tif 000004
【図３】
2014180314.tif 000005
【図４】
2014180314.tif 000006
【図５】
2014180314.tif 000007
【図６】
2014180314.tif 000008
【図７】
2014180314.tif 000009
【図８】
2014180314.tif 000010
【図９】
2014180314.tif 000011
【図１０】
2014180314.tif 000012
【図１１】
2014180314.tif 000013
【図１２】
2014180314.tif 000014
【図１３】
2014180314.tif 000015
【図１４】
2014180314.tif 000016
【図１５】
2014180314.tif 000017
【図１６】
2014180314.tif 000018
【図１７】
2014180314.tif 000019